(57)【要約】      （修正有）【課題】施錠操作を障子閉塞操作に連動して自動的に行え、防犯上も好適な施錠装置を提供する。【解決手段】先端に屋内方向に突出する係止部９ａを備えた施錠片９を縦軸１０回動自在に枢着して障子ｄの戸先框３内に収設する。また、戸先框３に相対する縦枠４の戸当り４ａ部に受止片１３を突設し、該受止片１３の先端に、障子閉塞時に施錠片９の前記係止部９ａがばね付勢によって係止する受止部１３ａを屋外方向にして突設する。そして、前記施錠片９に縦方向にして突設した受圧部片９ｂを前記ばね付勢に抗して屋外方向に押圧する解錠片１５を、前記戸先框３の屋内面側に設けた手架１４内に収設する。【選択図】図２
2006233554.tif 000002
【特許請求の範囲】
【請求項１】
先端に屋内方向に突出する係止部を備えた施錠片を縦軸回動自在に枢着して障子の戸先框内に収設する一方、前記戸先框に相対する縦枠の戸当り部に受止片を突設し、該受止片の先端に、障子閉塞時に施錠片の前記係止部がばね付勢によって係止する受止部を屋外方向にして突設すると共に、前記施錠片に縦方向にして突設した受圧部片を前記ばね付勢に抗して屋外方向に押圧する解錠片を、前記戸先框の屋内面側に設けた手架内に収設した、引き戸の施錠装置。
【請求項２】
戸先框の屋内面側に設けた縦長箱状の手架内に解錠片の主体部片を収設し、該主体部片に底壁部片を通じて受圧部片を押圧する押圧部片を突設すると共に、前記主体部片と前記底壁部片との間に前記押圧部片を前記手架内方向に復帰するための第二ばねを添設した、請求項１記載の引き戸の施錠装置。
【請求項３】
受圧部片を施錠状態時に障子の見付け方向に沿う平板体で構成する一方、押圧部片の先端面を、前記受圧部片の縦軸を中心とする回動角度に沿うテーパ形にした、請求項２記載の引き戸の施錠装置。
【請求項４】
受圧部片を施錠状態時に障子の見付け方向に沿う平板体で構成すると共に、障子框の屋内面側に設けた縦長箱状の手架内に、押圧部片と操作部片を互いに直交方向にして一体に連設した解錠片の操作部片を、前記手架底壁部片を通じて導入して回動自在に支持させる一方、前記手架より屋外側に存する前記押圧部片を前記受圧部片の屋内面側に位置させた、請求項１記載の引き戸の施錠装置。
【発明の詳細な説明】
【技術分野】
【０００１】
本発明は、片引きサッシや引違いサッシに適用する引き戸の施錠装置に関するものである。
【背景技術】
【０００２】
引違いサッシ等の引き戸の障子を施錠するには、具体例を挙げるまでもなく、引き寄せを兼ねるクレセントを用いているのが一般で、該クレセントは、障子閉塞後、障子召合せ框に装置したクレセントを他の障子の召合せ框側或いは方立側に装置した受金具に係止させて施錠操作を行うものである。
【発明の開示】
【発明が解決しようとする課題】
【０００３】
障子の施錠手段として用いているクレセントは、障子閉塞後に別操作として所謂施錠操作を行わざるを得ないため、閉塞操作と施錠操作という二重の操作を必要とするため、その操作が煩雑であり、ときには施錠操作を失念する場合があって防犯上好ましくない。
【０００４】
本発明は斯様な従来例の欠点に着目し、施錠操作を障子閉塞操作に連動して自動的に行え、防犯上好適な施錠装置を提供すべく創案したものである。
【課題を解決するための手段】
【０００５】
先端に屋内方向に突出する係止部を備えた施錠片を縦軸回動自在に枢着して障子の戸先框内に収設する一方、前記戸先框に相対する縦枠の戸当り部に受止片を突設し、該受止片の先端に、障子閉塞時に施錠片の前記係止部がばね付勢によって係止する受止部を屋外方向にして突設すると共に、前記施錠片に縦方向にして突設した受圧部片を前記ばね付勢に抗して屋外方向に押圧する解錠片を、前記戸先框の屋内面側に設けた手架内に収設した構成とするのである。
【発明の効果】
【０００６】
本発明によれば、障子を戸当り側に移動するだけで施錠操作を自動的に行うことができ、解錠に際して手架内の解錠片を押圧するだけでその操作を完了することができ、施錠、解錠を総じて簡単に行える装置を提供できる。また、框内に施錠装置を設けた構成を採るので外観上も良好である。
【実施例】
【０００７】
図面は本発明に係る引き戸の施錠装置の一実施例を示し、図１は第一実施例の要部の断面図、図２は図１の側面図、図３は図２の横断面図、図４は第一実施例の解錠した状態の横断面図、図５は第一実施例の解錠時の状態の受圧部片と解錠片の関係を示す底面図、図６は引違いサッシの略示正面図である。
【０００８】
第一実施例は、内外障子ｄ´，ｄが互いに引違う引違いサッシＡに本発明を適用したものであるが、所謂片引きサッシにも適用できることは勿論で、実施例の引違いサッシは、内障子ｄ´の召合せ框１´にクレセント２を、外障子ｄの召合せ框に受金具を設け、障子を閉塞した状態においてクレセント２を受金具に係止して内外障子ｄ´，ｄの召合せ框間の関係で施錠状態を得ると共に、各障子ｄ´，ｄの戸先框３´，３とサッシ枠（引戸枠）ｗの縦枠４´，４との関係においても施錠状態を、すなわち、本発明を用いること（前記クレセントによる施錠手段に併用すること）によって尚一層の防犯効果を期待するようにしたものである。
【０００９】
以下、外障子ｄの戸先框３とこれに対応する縦枠４との関係での実施例装置を説明し、内障子ｄ´の戸先框３´とこれに対応する縦枠４´との関係の実施例装置は各部材が前記戸先框３等側と対称的な形態を成す点を除く残余の点がほぼ同様の構成を採るので、その説明を省略する。
【００１０】
前記戸先框３は、中空主体部３Ａを備え、該中空主体部３Ａの、前記縦枠４の戸当り４ａに相対する外部片３Ａ´の適所に窓口５を設け、該窓口５部に装置基枠６を組付けてある。
【００１１】
装置基枠６は、平板状の基板（前面板）６ａの背面側に溝形枠６ｂを重ね合わせ、これ等をねじ７で互いに止着した方形枠体で成り、溝形枠６ｂ側を前記窓口５を通じて前記中空主体部３Ａ内に挿入し、基板６ａを前記外部片３Ａ´の外側に重ね合わせて固定ねじ８で該外部片３Ａ´に止着して、前記の通り、戸先框３に組付けたものである。
【００１２】
この装置基枠６（の溝形枠６ｂ部）には、施錠片（鎌）９を収設し、施錠片９は、その基部において前記溝形枠６ｂの上下の部片に支持させた縦軸１０で装置基枠６に屋内外（横）方向に回転自在に枢着してある。
【００１３】
施錠片９は先端側を鉤状にして屋内方向に突出する係止部９ａを備えた主体部９Ａの、下面のほぼ中央部に受圧部片９ｂを突（吊）設して構成し、受圧部片９ｂを装置基枠６（溝形枠６ｂ）に設けた切欠１１を通じて装置基枠６外部に突出させて前記中空主体部３Ａ間に配する一方、主体部９Ａを縦軸１０で前記の通り装置基枠６に回動自在に枢着するようにして戸先框３に収設したものである。
【００１４】
また、施錠片９は、主体部９Ａの基部に横設した切欠に前記縦軸１０に巻回した第一ばね１２を係合させ、該ばね１２の一端側を装置基枠６（戸先框３側）に、他の一端側を該施錠片９にそれぞれ係止させて、先端の係止部９ａが障子ｄの閉塞時に前記戸当り４ａ側に設けた受止片１３の受止部１３ａに衝接して係止する位置に存するようにしてある。
【００１５】
装置基枠６から導出した施錠片９の受圧部片９ｂは、施錠状態時には、障子ｄの見付け方向に沿う平板状体を成し（図３鎖線で示す。なお、第二実施例は図９参照）、装置基枠６より下方にして前記中空主体部３Ａの屋内側部片３Ａ´´に装置した手架１４の背面（室外面）側において重なり合う位置に配置してある。
【００１６】
手架１４は、周端に鍔部片を備えた前面開口の縦長箱状態で成り、戸先框３の中空主体部３Ａの前記屋内側部片３Ａ´´（戸先框３の屋内側部片）の中間部に設けた窓口に嵌着したもので、この手架１４内には解錠片１５を収設してある。
【００１７】
解錠片１５は、主体部片１５ａの背面側の上下両端に厚肉部片を、中間部に柱状の一対の組付け部片１５ｂ，１５ｂを突設した上下対称形体で構成するもので、厚肉部片および組付け部片１５ｂを、前記手架１４の縦長箱状体の底壁部片（屋外端部片）１４ａに設けた透孔１６，１７に貫通させるようにして組合わせ、底壁部片１４ａの上端側に設けた透孔１６に係合させた前記厚肉部片を、戸先框３の前記中空主体３Ａ内に装置した施錠片９の前記受圧部片９ｂの屋内側に重合させ、かつ、これと接触するようにして押圧部片１５ｃと成し、また、底壁部片１４ａの中間部に設けた透孔１７に貫通させた前記組付け部片１５ｂの透孔１７より突出する先端にリング１８を取付けて、手架１４に屋内外方向に移動自在に収設したもので、前記底壁部片１４ａと主体部片１５ａとの間には前記組付け部片１５ｂに巻回した第二ばね（復帰スプリング）１９を配し、屋内外方向に人為的操作でのみ手架１４内を移動するようにしたものである。
【００１８】
なお、前記押圧部片１５ｃの、前記受圧部片９ｂに接する先端面（屋外側端面）１５ｃ´には、前記縦軸１０を中心とする受圧部片９ｂ（延いては施錠片９）の屋外方向の回動角度に沿うテーパを設け、該先端面１５ｃ´の該テーパ形によって解錠片１５の屋外方向へのいわば直線動作が回動（転）動作として施錠片９に現われて、該施錠片９の第一ばね１２に抗した回動動作が円滑になるようにしてある。
【００１９】
前記受止片１３は、先端側を鉤状にして屋外方向に突出する前記受止部１３ａを設けて成り、前記戸先框３に相対する縦枠４の戸当り４ａ部に突設し、戸先框３側に設けた前記施錠片９の戸先框３（障子ｄ）の移動に伴う移動路上に位置するようにして障子閉塞時に前記装置基枠６の開口部２０を通じて受止部１３ａが施錠片９側の係止部９ａに衝接するように配設し、受止部１３ａに係止部９ａにおいて衝接した施錠片９は第一ばね１２の付勢に抗してわずかに回動し、ばね１２の付勢によって原位置に復帰して受止部１３ａに係止するのである。
【００２０】
しかして、外障子ｄを閉塞方向に移動させると、該障子ｄの移動に伴う施錠片９（係止部９ａ）の移動路上にして縦枠４の戸当り４ａ部に突設した受止片１３の先端の受止部１３ａは、相対的に装置基枠６の開口部２０を通じて戸先框３（の中空主体部３Ａ）に挿入され、該戸先框３に収設した施錠片９の係止部９ａを第一ばね１２の付勢に抗して押圧し、その結果、施錠片９は縦軸１０を中心にしてわずかに回動し、衝接状態が解放されると同時に、前記ばね付勢によって原位置に復帰し、施錠片９の係止部９ａが受止片１３の受止部１３ａに係止して障子ｄは施錠される。そして、この施錠状態時に手架１４内に収設した解錠片１５を第二ばね１９に抗して屋外方向へ押圧すると、解錠片１５の押圧部片１５ｃが施錠片９の受圧部片９ｂを押圧し、この結果、施錠片９は第一ばね１２の付勢に抗して回動し、係止部９ａは受止片１３の受止部１３ａに対する係止状態位置から離脱し、離脱状態のまま障子ｄを移動させることによって障子ｄの解放状態を得られるのである。
【００２１】
この解放状態時に解錠片１５の押圧操作を中断すると、解錠片１５は第二ばね１９によって原位置に復帰し、障子ｄを閉塞方向に移動させることにより、前記の施錠状態を再び得られるのである。
【００２２】
なお、図７乃至図１１は第二実施例を示し、図７は要部の正面図、図８は図７のａ−ａ線断面図、図９は図７のｂ−ｂ線断面図、図１０は解錠状態の横断面図、図１１は解錠状態時の断面図である。
【００２３】
この第二実施例は第一実施例と符号を同じにして示す通り施錠片９を受止片１３の組合わせ関係（障子ｄの施錠関係）においては第一実施例と全く同じで、手架１１４部に備えた解錠片１１５と施錠片９の受圧部片１０９ｂの関係のみが相違するだけであるのでこの点について説明する（残余の点は第一実施例と同様である）。
【００２４】
施錠片９の受圧部片１０９ｂは、第一実施例の受圧部片９ｂが長いのに対し短くしてあり、解錠操作時にこの受圧部片１０９ｂを押圧する解錠片１１５は互いに直交方向にして一体に連設した押圧部片１１５ａと操作部片１１５ｂとで成り、操作部片１１５ｂを前記手架１１４の底壁部片１１４ａに設けた窓口１１７を通じて手架１１４内に導入し、手架１１４の縦長箱状体の上下の部片にわたした軸２３を該操作部片１１５ｂの自由端を屈曲して形成した筒状部２４に貫通させるようにして回動自在に支持させ、手架１１４より屋外側に存する前記押圧部片１１５ａの上端部側の押圧部１１５ａ´を前記受圧部片１０９ｂの屋内面側に位置させて配し、すなわち、受圧部片１０９ｂと手架１１４（の底壁部片１１４ａ）との間に介在し、解錠時に、手架１１４内に挿入した指先で操作部片１１５ｂを障子ｄの見付け方向に（障子ｄの開放方向に）押圧すると、解錠片１１５は前記軸２３を中心にして回動し、操作部片１１５ｂに連設した押圧部片１１５ａは押圧部１１５ａ´において施錠片９の受圧部片１０９ｂを屋外方向に押圧し、受圧部片１０９ｂにおいて押圧された施錠片９は第一実施例と同様に前記第一ばね１２の付勢に抗して回動し、施錠片９の係止部９ａは受止片１３の受止部１３ａより離脱し解錠が行われ、障子ｄの開放状態後、操作部片１１５ｂに対する第一ばね１２の付勢に抗する押圧操作を中断すると、操作部片１１５ｂすなわち解錠片１１５は第一ばね１２の付勢によって原位置に復帰するのである。
【００２５】
因みに、解錠時の操作部片１１５ｄの押圧と障子開放時の手架１１４の押圧は、いわば連動して行うことができ、つまり、解錠操作と障子開放操作は手先による操作部片１１５ｄと手架１１４のそれぞれの押圧の向きがほぼ同様なので連動して行え、操作上好適である。
【００２６】
なお、残余の各部の動作（構成は勿論）は矛盾のない限り、第一実施例と同様であるので説明を省略する。
【図面の簡単な説明】
【００２７】
【図１】第一実施例の要部の断面図。
【図２】図１の側面図。
【図３】図２の横断面図。
【図４】第一実施例の解錠した状態の横断面図。
【図５】第一実施例の解錠時の状態の受圧部片と解錠片の関係を示す底面図。
【図６】引違いサッシの略示正面図。
【図７】第二実施例の要部の正面図。
【図８】図７のａ−ａ線断面図。
【図９】図７のｂ−ｂ線断面図。
【図１０】第二実施例の解錠状態の横断面図。
【図１１】第二実施例の解錠状態時の断面図。
【符号の説明】
【００２８】
３      戸先框
４      縦枠
４ａ    戸当り
９      施錠片
９ａ    係止部
９ｂ    受圧部片
１３    受止片
１４    手架
１５    解錠片
【図１】
2006233554.tif 000003
【図２】
2006233554.tif 000004
【図３】
2006233554.tif 000005
【図４】
2006233554.tif 000006
【図５】
2006233554.tif 000007
【図６】
2006233554.tif 000008
【図７】
2006233554.tif 000009
【図８】
2006233554.tif 000010
【図９】
2006233554.tif 000011
【図１０】
2006233554.tif 000012
【図１１】
2006233554.tif 000013